(57)【要約】【課題】電源端子台に接触不良や損傷を生じさせずに、電源端子台とケースとを電気的に導通させられるようにすることを目的とする。【解決手段】電源端子台１００を取り付けるケース部分（端子台取付部２００）は、滑らかに隆起する凸端子２１０を有する。凸端子２１０は、端子台取付部２００に取り付けられた電源端子台１００の通し穴１１０に頭出しして電源端子台１００の接地端子１６０に接する。電源端子台１００の接地端子１６０は、先端部が傾斜を成す２片を有し、２片の傾斜部で端子台取付部２００の凸端子２１０に接する。【選択図】図６
2010176978.tif 000002
【特許請求の範囲】
【請求項１】
器具本体と、前記器具本体に取り付けられる電源端子台とを備える照明器具であり、
前記器具本体は、
前記電源端子台が取り付けられる本体側取付面と、
前記本体側取付面から球面状に隆起した本体側端子とを有し、
前記電源端子台は、
前記本体側取付面に取り付けられると共に前記本体側端子を露出させる通し穴が空けられた端子台側取付面と、
前記通し穴から露出した前記本体側端子に接する複数の傾斜部を有する端子台側端子とを有する
ことを特徴とする照明器具。
【請求項２】
前記端子台側端子は、二股形状を成して二股形状の各先頭部に前記本体側端子に接する傾斜部を有することを特徴とする請求項１記載の照明器具。
【請求項３】
前記端子台側端子は、前記二股形状の各先頭部が前記本体側端子に沿って互いの間隔を広げることを特徴とする請求項２記載の照明器具。
【請求項４】
前記端子台側端子は、Ｌ字状を成し、Ｌ字状の一端側を二股にする溝を有することを特徴とする請求項２または請求項３に記載の照明器具。
【請求項５】
前記端子台側端子は、Ｕ字状を成し、Ｕ字状の底部に前記本体側端子を露出させる開口部と前記開口部から露出した前記本体側端子に接する前記複数の傾斜部とを有することを特徴とする請求項１記載の照明器具。
【請求項６】
前記端子台側端子は、Ｕ字状の底部の一部が前記本体側端子により押し出されて前記複数の傾斜部を成すことを特徴とする請求項５記載の照明器具。
【発明の詳細な説明】
【技術分野】
【０００１】
本発明は、例えば、接地構造を持つ照明器具に関するものである。
【背景技術】
【０００２】
特許文献１は、電源端子台の接地端子と電源端子台を取り付けるケースの接地接続片とを接続するために、ケースから電源端子台内部に接地接続片を突出させて電気的に導通させている。
【０００３】
特許文献２は、電源端子台から突出させた接地接続片をケースに圧接することで、電源端子台の接地接続片とケースとを電気的に導通させている。
また、ケースに空けた貫通孔に電源端子台の接地接続片を圧接することで、電源端子台の接地接続片とケースとを電気的に導通させている。
【先行技術文献】
【特許文献】
【０００４】
【特許文献１】特開平５−２０５７９７号公報
【特許文献２】実公平７−４７８０７号公報
【発明の概要】
【発明が解決しようとする課題】
【０００５】
特許文献１には以下のような課題がある。
（１）ケースの接地接続片が、ケース保管時に何らかに干渉して変形し、電源端子台内部の接地端子との接触が不完全になる。
（２）ケースの接地接続片が、樹脂製の電源端子台外郭に接触して、電源端子台を損傷する。
【０００６】
特許文献２には以下のような課題がある。
（３）電源端子台保管時に、電源端子台の接地接続片が干渉して金属製の接地接続片および樹脂製の電源端子台外郭を損傷させる。
（４）ケースの貫通孔を通過した埃や小さな虫などが電源端子台内部に入って堆積し、電源端子台の異極間を導通させる。
【０００７】
本発明は、例えば、電源端子台に接触不良や損傷を生じさせずに、電源端子台を電気的に導通させられるようにすることを目的とする。
【課題を解決するための手段】
【０００８】
本発明の照明器具は、器具本体と、前記器具本体に取り付けられる電源端子台とを備える照明器具であり、前記器具本体は、前記電源端子台が取り付けられる本体側取付面と、前記本体側取付面から球面状に隆起した本体側端子とを有し、前記電源端子台は、前記本体側取付面に取り付けられると共に前記本体側端子を露出させる通し穴が空けられた端子台側取付面と、前記通し穴から露出した前記本体側端子に接する複数の傾斜部を有する端子台側端子とを有する。
【発明の効果】
【０００９】
本発明によれば、例えば、電源端子台に接触不良や損傷を生じさせずに、電源端子台と器具本体（照明器具のケース）とを電気的に導通させることができる。
【図面の簡単な説明】
【００１０】
【図１】実施の形態１における照明器具１０００の斜視図。
【図２】実施の形態１における照明器具１０００の分解斜視図。
【図３】実施の形態１における照明器具の電源端子台１００および端子台取付部２００を示す図。
【図４】実施の形態１における照明器具の電源端子台１００および端子台取付部２００を示す図。
【図５】実施の形態１における照明器具の電源端子台１００および端子台取付部２００を示す図。
【図６】実施の形態１における端子台取付部２００に取り付けられた電源端子台１００の内部を示す図。
【図７】実施の形態１における電源端子台１００の接地端子１６０の構造を示す図。
【図８】実施の形態１における電源端子台１００の接地端子１６０と端子台取付部２００の凸端子２１０との接触状態を示す図。
【図９】実施の形態２における端子台取付部２００に取り付けられた電源端子台１００の内部を示す図。
【図１０】実施の形態２における電源端子台１００の接地端子１７０の構造を示す図。
【図１１】実施の形態２における電源端子台１００の接地端子１７０と端子台取付部２００の凸端子２１０との接触状態を示す断面図。
【発明を実施するための形態】
【００１１】
実施の形態１．
照明器具の器具本体と器具本体に取り付けられる電源端子台との電気的導通構造について説明する。
【００１２】
図１は、実施の形態１における照明器具１０００の斜視図である。
図２は、実施の形態１における照明器具１０００の分解斜視図である。
実施の形態１における照明器具１０００について、図１および図２に基づいて以下に説明する。
【００１３】
照明器具１０００は点灯装置１００１、ランプソケット１１００、反射板１２００、器具本体１３００および係止具１４００を備える。
【００１４】
点灯装置１００１は、入力される商用電源（図示省略）を変換して、放電ランプＬＡに電力を供給する。
ランプソケット１１００は、放電ランプＬＡを機械的に保持するとともに、放電ランプＬＡと点灯装置１００１とを電気的に接続する。
反射板１２００は、放電ランプＬＡが発する光を反射する。
器具本体１３００は、点灯装置１００１と反射板１２００とが取り付けられるとともに、天井などに固定される。
器具本体１３００は、ランプソケット取付台座１３０３、電源端子台１００を備える。
係止具１４００は、反射板１２００を器具本体１３００に固定する。
【００１５】
点灯装置１００１は、ケース本体の底面が器具本体１３００に面接触するように、器具本体１３００に取り付けられる。
【００１６】
反射板１２００は、ランプソケット挿入部１２０１、係止具取付部１２０２を備える。
ランプソケット挿入部１２０１は、略Ｖ字状に形成され、ランプソケット１１００が挿入される。
係止具取付部１２０２は、係止具１４００が取り付けられる。
【００１７】
ランプソケット台座１３０３は、ランプソケット１１００が取り付けられる。
電源端子台１００は、器具本体１３００（端子台取付部２００を有する）に取り付けられ、点灯装置１００１に電気的に接続され、電源線が取り付けられる。
【００１８】
なお、本実施の形態では、放電ランプＬＡを光源として用いる場合を説明したが、光源はハロゲンランプや、ＬＥＤなどであっても構わない。
【００１９】
また、用いる光源の種類によって、照明器具１０００の利用者などによる光源の交換が不要であるならば、ランプソケット１１００を用いずに、点灯装置１００１と光源とを電線などで直接電気的に接続するようにしてもよい。
【００２０】
図３、図４および図５は、実施の形態１における照明器具の電源端子台１００および端子台取付部２００を示す図である。
実施の形態１における照明器具の電源端子台１００および端子台取付部２００について、図３、図４および図５に基づいて以下に説明する。
【００２１】
図３は、斜め上方から見た取り付け前の状態を示し、図４は、斜め下方から見た取り付け前の状態を示し、図５は、斜め下方から見た取り付け後の状態を示す。
【００２２】
電源端子台１００は、樹脂製の外郭（外枠、ケース）を持ち、内部に電源用端子、配線用端子、接地端子など電源に関する各種の電気部品を備える。
【００２３】
図３〜図５には、照明器具のケース（器具本体）の全体のうち、電源端子台１００が取り付けられる本体側取付面を端子台取付部２００として示している。
端子台取付部２００は、金属板に絶縁被膜が施されている。
【００２４】
図４に示すように、電源端子台１００は端子台側取付面である端子台底部１０１に複数の突部（突部Ａ１２１、突部Ｂ１２２、突部Ｃ１２３、突部Ｄ１３１および突部Ｅ１４１）を有し、端子台取付部２００は電源端子台１００の各突部を嵌め入れる複数の受け穴（受け穴Ａ２２１、受け穴Ｂ２２２、受け穴Ｃ２２３、受け穴Ｄ２３１および受け穴Ｅ２４１）を有する。
また、電源端子台１００はタップ穴１５１を有し、端子台取付部２００はタップ穴１５１に対応する位置に丸穴２５１を有する。
【００２５】
さらに、端子台取付部２００は球面状に隆起した凸端子２１０を有し、電源端子台１００は凸端子２１０を電源端子台１００の内部に頭出しさせて電源端子台１００内の接地端子に接触させる通し穴１１０を端子台底部１０１に有する。
【００２６】
電源端子台１００は、各突部を端子台取付部２００の各受け穴に嵌め込むと共に、端子台取付部２００の凸端子２１０を通し穴１１０に嵌め込んで端子台取付部２００に係止され、ネジ１５２がタップ穴１５１から端子台取付部２００の丸穴２５１へ締め入れられて端子台取付部２００に固定される。このとき、端子台取付部２００の凸端子２１０は電源端子台１００の内部に露出する。
【００２７】
図６は、実施の形態１における端子台取付部２００に取り付けられた電源端子台１００の内部を示す図である。
図７は、実施の形態１における電源端子台１００の接地端子１６０の構造を示す図である。
図８は、実施の形態１における電源端子台１００の接地端子１６０と端子台取付部２００の凸端子２１０との接触状態を示す図である。
電源端子台１００の接地端子１６０と端子台取付部２００の凸端子２１０との接触状態について、図６、図７および図８に基づいて以下に説明する。
【００２８】
図６に示すように、電源端子台１００の中には、端子台取付部２００の凸端子２１０が嵌め込まれる通し穴１１０の上方に接地端子１６０が取り付けられている。
電源端子台１００が端子台取付部２００に取り付けられたとき、電源端子台１００の内部では、接地端子１６０が、通し穴１１０から頭出しした端子台取付部２００の凸端子２１０に先頭部を接し、端子台取付部２００の凸端子２１０と電気的に導通する。
【００２９】
図７に示すように、接地端子１６０は全体がＬ字型であり、Ｌ字型の一端部が二股になっている。接地端子１６０は、金属板であり、二股部分を広げるバネ性（弾性、柔軟性）を有する。
接地端子１６０は、胴部１６１と足部１６２とでＬ字状を成し、幅方向の中央部分に足部１６２を二股にする切込部１６３を有する。切込部１６３は、胴部１６１の中ほどから足部１６２の先端までＬ字状に沿って設けられている。
二股の足部１６２は、端子台取付部２００の凸端子２１０に接する先頭部分に斜めに切断された傾斜部１６４を有し、互いの傾斜部１６４で八の字状を成す。
胴部１６１は、平面部分に切込部１６３と連続する断面Ｖ字状の溝部１６５を有する。溝部１６５は、胴部１６１の平面部分を曲がりやすくする。胴部１６１の平面部分が曲がりやすくなることで、二股の足部１６２が広がりやすくなる。
【００３０】
電源端子台１００が端子台取付部２００に取り付けられるとき、端子台取付部２００の凸端子２１０は通し穴１１０から電源端子台１００の内部に頭出しする。
図８（ａ）に示すように、端子台取付部２００の凸端子２１０が通し穴１１０から頭出しすると接地端子１６０の二股先端部が凸端子２１０に接する。
図８（ｂ）に示すように、端子台取付部２００の凸端子２１０がさらに深く頭出しすると、凸端子２１０が二つの傾斜部１６４の間に入り込み、接地端子１６０の足部１６２が八の字状に開き、接地端子１６０の傾斜部１６４が凸端子２１０の球面に沿って押し広げられて凸端子２１０に強く接する。凸端子２１０の球面に沿って押し広げられる際、接地端子１６０の傾斜部１６４は、凸端子２１０の塗装を削り落とし、凸端子２１０の絶縁被膜下の金属部に接し、凸端子２１０と電気的に導通する。電源端子台１００を端子台取付部２００から取り外したとき、バネ性の接地端子１６０は元の形状に戻る。
【００３１】
電源端子台１００の接地端子１６０は、端子台取付部２００の凸端子２１０に接する二股の先頭部に傾斜部１６４を有することにより、傾斜部１６４で端子台取付部２００の凸端子２１０の塗装を削り落して凸端子２１０の金属部に強く接し、端子台取付部２００の凸端子２１０との電気的接触が不十分になることを防ぐことができる。
【００３２】
実施の形態１において、例えば、以下のような照明器具の接地構造について説明した。
外郭が樹脂製の電源端子台１００内に電源側端子、器具内部配線側端子および接地端子１６０を備え、ケースに形成される電源端子台取り付け面（端子台取付部２００）に電源端子台１００を配置し、電源端子台取り付け面から隆起した凸面（凸端子２１０）に電源端子台１００の内部にある接地端子１６０を当接させることでケースと電源端子台１００の内部にある接地端子１６０とを電気的に導通させる。
また、電源端子台１００は、外部に突起しない接地端子１６０を持つ。
また、電源端子台１００の内部に通じる穴付近に形成される貫通孔を電源端子台取り付け面に持たない。
【００３３】
電源端子台１００の内部にあり、バネ性を有する先端が二つに分かれて傾斜形状を成す接地端子１６０は、ケース部の隆起した凸端子２１０の表面を削りながら凸端子２１０に沿って左右に広がって凸端子２１０に当接することで、電気的に導通する。
【００３４】
ケース部の凸端子２１０は、電源端子台１００の接地端子１６０と当接するために滑らかに隆起しているため、外郭が樹脂製の電源端子台１００と接触しても電源端子台１００を損傷させることがない。
さらに、電源端子台１００の接地端子１６０が外部に突起していないため、端子台取付部２００と干渉して樹脂製の電源端子台外郭を損傷させることがない。
さらに、端子台取付部２００は、電源端子台１００の内部に通じる電源端子台表面の穴（例えば、通し穴１１０）付近に貫通孔を持たないため、埃や小さな虫などが電源端子台１００の内部に堆積して故障原因になることを防ぐ。
【００３５】
実施の形態２．
電源端子台１００の接地端子が実施の形態１と異なる形態について説明する。
以下、実施の形態１と異なる事項について主に説明し、説明を省略した事項については実施の形態１と同様である。
【００３６】
図９は、実施の形態２における端子台取付部２００に取り付けられた電源端子台１００の内部を示す図である。
図１０は、実施の形態２における電源端子台１００の接地端子１７０の構造を示す図である。
図１１は、実施の形態２における電源端子台１００の接地端子１７０と端子台取付部２００の凸端子２１０との接触状態を示す断面図である。
電源端子台１００の接地端子１７０と端子台取付部２００の凸端子２１０との接触状態について、図９、図１０および図１１に基づいて以下に説明する。
【００３７】
図９に示すように、電源端子台１００の中には、端子台取付部２００の凸端子２１０が収まる通し穴１１０の周囲に接地端子１７０が取り付けられている。
電源端子台１００が端子台取付部２００に取り付けられたとき、電源端子台１００の内部では、接地端子１７０が、通し穴１１０から頭出しした端子台取付部２００の凸端子２１０に先端部を接し、端子台取付部２００の凸端子２１０と電気的に導通する。
【００３８】
図１０に示すように、接地端子１７０は側部１７１と底部１７２とでＵ字状を成し、端子台取付部２００の凸端子２１０を頭出しさせて露出させる開口部１７４と開口部１７４から頭出しした端子台取付部２００の凸端子２１０に接する接触部１７３とをＵ字状の底部１７２に有する。
開口部１７４は端子台取付部２００の凸端子２１０の形状に合わせて略円形または略楕円形に空けられた穴であり、接触部１７３は開口部１７４の周部の対向する２か所に切り残された三日月状、半円または盃状の切片である。
接地端子１７０は、金属板であり、接触部１７３が端子台取付部２００の凸端子２１０により押し上げられて傾斜するバネ性を有する。
開口部１７４は、接地端子１７０が押し上げられて略円形または略楕円形を形成する。
【００３９】
図１１に示すように、端子台取付部２００の凸端子２１０が通し穴１１０を通って接地端子１７０の開口部１７４から頭出しすると、接地端子１７０の２つの接触部１７３が凸端子２１０の球面に沿って八の字状に押し上げられて凸端子２１０に接する。凸端子２１０の球面に沿って押し上げられる際、接地端子１７０の接触部１７３は、凸端子２１０の絶縁被膜を削り落とし、凸端子２１０の絶縁被膜下の金属部に接し、凸端子２１０と電気的に導通する。
【００４０】
電源端子台１００の接地端子１７０は、八の字状に傾斜する２つの接触部１７３を有することにより、傾斜部１６４で端子台取付部２００の凸端子２１０の絶縁被膜を削り落として凸端子２１０の金属部に強く接し、端子台取付部２００の凸端子２１０との電気的接触が不十分になることを防ぐことができる。
【００４１】
実施の形態２において、例えば、以下のような照明器具の接地構造について説明した。
電源端子台１００内部にあり、ケースの凸端子２１０に接触する部分（開口部１７４、接触部１７３）が円形もしくは楕円形に穴加工されている接地端子１７０は、ケースの隆起した凸端子２１０の表面を削りながら凸端子２１０に沿って広がって凸端子２１０に当接することで、電気的に導通する。
【００４２】
実施の形態２における電源端子台１００の接地構造は、実施の形態１と同様に、端子台取付部２００の凸端子２１０が滑らかに隆起すると共に接地端子１７０が電源端子台１００の外部に突起していないため、電源端子台１００を損傷しない。
さらに、端子台取付部２００は、電源端子台１００の内部に通じる通し穴１１０が位置する部分に穴あけされていないため、埃や虫などが電源端子台１００の内部に入り込んで故障原因になることを防ぐ。
【符号の説明】
【００４３】
１００  電源端子台、１０１  端子台底部、１１０  通し穴、１２１  突部Ａ、１２２  突部Ｂ、１２３  突部Ｃ、１３１  突部Ｄ、１４１  突部Ｅ、１５１  タップ穴、１５２  ネジ、１６０  接地端子、１６１  胴部、１６２  足部、１６３  切込部、１６４  傾斜部、１６５  溝部、１７０  接地端子、１７１  側部、１７２  底部、１７３  接触部、１７４  開口部、２００  端子台取付部、２１０  凸端子、２２１  受け穴Ａ、２２２  受け穴Ｂ、２２３  受け穴Ｃ、２３１  受け穴Ｄ、２４１  受け穴Ｅ、２５１  丸穴、１０００  照明器具、１００１  点灯装置、１１００  ランプソケット、１２００  反射板、１２０１  ランプソケット挿入部、１２０２  係止具取付部、１３００  器具本体、１３０３  ランプソケット取付台座、１４００  係止具、ＬＡ  放電ランプ。
【図１】
2010176978.tif 000003
【図２】
2010176978.tif 000004
【図３】
2010176978.tif 000005
【図４】
2010176978.tif 000006
【図５】
2010176978.tif 000007
【図６】
2010176978.tif 000008
【図７】
2010176978.tif 000009
【図８】
2010176978.tif 000010
【図９】
2010176978.tif 000011
【図１０】
2010176978.tif 000012
【図１１】
2010176978.tif 000013